(57)【要約】      （修正有）【課題】単管の端部を封じ、容易に外れない蓋体を提供する。【解決手段】蓋体１は蓋部材１０と、挿入部材２０と、を備えており、挿入部材２０は管状部２１と、押圧部２２と、を備えている。管状部２１は、円管状に形成されており、単管への挿入方向に幅Ｌ１のスリット２３が形成されている。押圧部２２は、管状部２１の外周面から突出して設けられており、外方への突出高さＴは、管状部２１を単管内に挿入したときに単管の内周面に当接して管状部２１を内側に押圧するように構成されている。【選択図】図１
0003224430.tif 000002
【実用新案登録請求の範囲】
【請求項１】
単管の端部を封じる蓋体であって、
単管の端部を封じる蓋部材と、
前記蓋部材に取り付けられ、単管に挿入して端部を前記蓋部材で封じるための挿入部材と、
を備え、
前記挿入部材は、
円管状に形成され単管への挿入方向にスリットが形成された管状部と、
前記管状部の外周面から突出して設けられ、前記管状部を単管内に挿入したときに単管の内周面に当接して前記管状部を内側に押圧する押圧部と、を備え、
前記管状部側から見たときに、前記挿入部材を前記蓋部材に固定する固定部が、前記スリットと前記押圧部との間に存在しないことを特徴とする蓋体。
【請求項２】
前記管状部側から見たときに、前記管状部の中心部と前記スリットの幅方向の中央部とを結ぶ線と、前記管状部の中心部と前記押圧部とを結ぶ線と、がなす角が９０°未満であることを特徴とする請求項１に記載の蓋体。
【請求項３】
前記固定部は、
前記スリットに対向する第１の箇所と、
前記第１の箇所と前記スリットとの間であって前記押圧部が形成されていない側の箇所と、に形成されていることを特徴とする請求項１または請求項２に記載の蓋体。
【考案の詳細な説明】
【技術分野】
【０００１】
本考案は、単管の端部を封じる蓋体に関する。
【背景技術】
【０００２】
従来より、単管を使用した柵や足場などを組むときなど、単管の端部に接触して怪我をしたり、単管内に雨水や異物が侵入したりしないように端部を封じる蓋体として、蓋部と、単管に押し込んで装着する装着部と、を備えたプラスチック製の保護キャップが用いられてきた（例えば、特許文献１、２）。  
【先行技術文献】
【特許文献】
【０００３】
【特許文献１】特開２００４−１１６１４３号公報
【特許文献２】特開２０１２−１０２５５４号公報
【考案の概要】
【考案が解決しようとする課題】
【０００４】
上述した構造の蓋体は、装着部を単管に挿入したときに単管内面に生じる押圧力が十分大きくないため、少しの外力で外れたり、いたずらで外されたりすることがあり、蓋体として必ずしも有効に作用するものではなかった。
【０００５】
そこで、本考案は、単管の端部を封じ、容易に外れない蓋体を提供することを目的とする。
【課題を解決するための手段】
【０００６】
上記目的を達成するために、請求項１に記載の考案では、単管の端部を封じる蓋体であって、単管の端部を封じる蓋部材と、前記蓋部材に取り付けられ、単管に挿入して端部を前記蓋部材で封じるための挿入部材と、を備え、前記挿入部材は、円管状に形成され単管への挿入方向にスリットが形成された管状部と、前記管状部の外周面から突出して設けられ、前記管状部を単管内に挿入したときに単管の内周面に当接して前記管状部を内側に押圧する押圧部と、を備え、前記管状部側から見たときに、前記挿入部材を前記蓋部材に固定する固定部が、前記スリットと前記押圧部との間に存在しない、という技術的手段を用いる。
【０００７】
請求項２に記載の考案では、請求項１に記載の蓋体において、前記管状部側から見たときに、前記管状部の中心部と前記スリットの幅方向の中央部とを結ぶ線と、前記管状部の中心部と前記押圧部とを結ぶ線と、がなす角が９０°未満である、という技術的手段を用いる。
【０００８】
請求項３に記載の考案では、請求項１または請求項２に記載の蓋体において、前記固定部は、前記スリットに対向する第１の箇所と、前記第１の箇所と前記スリットとの間であって前記押圧部が形成されていない側の箇所と、に形成されている、という技術的手段を用いる。
【考案の効果】
【０００９】
本考案の蓋体によれば、挿入部材の管状部を単管内に挿入すると、挿入部材を蓋部材に固定する固定部がスリットと押圧部との間に存在しないので、押圧部が単管内部に向かって押し込まれることにより、スリットの幅が狭くなり挿入可能となる。蓋体が単管の端部を覆うまで挿入することにより単管の端部を封じることができる。このとき、押圧部は、管状部を単管内に挿入したときに単管の内周面に当接して管状部を内側に押圧するとともに、その反力で単管の内周面に挿入部材からの押圧力が作用する。これにより、蓋体は強固な力で単管に嵌合されるので、容易に外れない蓋体とすることができる。
【図面の簡単な説明】
【００１０】
【図１】本考案の蓋体の構造を示す説明図である。図１（ａ）は側面図、図１（ｂ）は上面図、図１（ｃ）は下面図である。
【図２】蓋体の使用方法を模式的に示す透視説明図である。
【図３】蓋体の使用方法を示す管状部側から見たときの平面説明図である。
【考案を実施するための形態】
【００１１】
（蓋体の構造）
本考案の蓋体について、図１を参照して説明する。
【００１２】
単管Ｐの端部Ｐ１を封じる蓋体１は鋼やアルミニウムなどからなる金属製であり、蓋部材１０と、挿入部材２０と、を備えている。
【００１３】
蓋部材１０は、単管Ｐの端部Ｐ１を覆って封じるため部材である。本実施形態では、蓋部材１０は、単管Ｐの外径よりわずかに大きい平板状に形成されている。図１には、平板状の蓋部材１０を例示しているが、半球状の蓋体や鎖などを挿通可能なアイボルトを備えた蓋体など各種形状を採用することができる。
【００１４】
挿入部材２０は、蓋部材１０に取り付けられ、単管Ｐに挿入して端部Ｐ１を蓋部材１０で封じるための部材である。
【００１５】
挿入部材２０は、管状部２１と、押圧部２２と、を備えている。
【００１６】
管状部２１は、単管Ｐに挿入可能なように、外径が単管Ｐの内径よりも小さい円管状に形成されており、単管Ｐへの挿入方向に幅Ｌ１のスリット２３が形成されている。
【００１７】
本実施形態では、挿入部材２０は蓋部材１０に内側から溶接して固定されており、その溶接部（固定部３０）は、管状部２１側から見たときに（図１（ｃ））、スリット２３と押圧部２２との間に存在しない。つまり、領域Ａ１内には固定部３０を設けない。
【００１８】
押圧部２２は、管状部２１の外周面から突出して設けられており、外方への突出高さＴは、管状部２１を単管Ｐ内に挿入したときに単管Ｐの内周面に当接して管状部２１を内側に押圧するように構成されている。本実施形態では、押圧部２２は外方へ凸な形状の突起として形成されている。
【００１９】
押圧部２２は、管状部２１側から見たときに（図１（ｃ））、管状部２１の中心部Ｃとスリット２３の幅方向の中央部とを結ぶ線と、中心部Ｃと押圧部２２とを結ぶ線と、がなすθが９０°未満となるように配置されている。つまり、押圧部２２は、領域Ａ２内に配置されている。
【００２０】
（蓋体の使用方法）
蓋体１を用いて単管Ｐの端部Ｐ１を封じる方法を、図２、３を参照して説明する。
【００２１】
まず、単管Ｐに、挿入部材２０を先端から挿入する。このとき、押圧部２２が単管Ｐの端部Ｐ１に引っかかり、図２（ａ）、図３（ａ）の状態となる。
【００２２】
次に、蓋部材１０に、ハンマー等による打撃等、下向き（挿入方向）への外力を負荷する。押圧部２２が単管Ｐ内に入ると、管状部材２０にはスリット２１が形成されており、固定部３０は領域Ａ１（図１（ｃ））には存在しないため、図３（ｂ）に示すように、管状部２１は固定部３０に拘束されることなく内方に押し込まれ、スリット２１の幅が減じるように（０＜Ｌ２＜Ｌ１）変形し、挿入可能となる。また、押圧部２２は、領域Ａ２内に配置されているため、管状部２１は過大な力を要さずに変形可能である。
【００２３】
そして、図２（ｂ）、図３（ｂ）に示すように、蓋体１が単管Ｐの端部Ｐ１を覆うまで挿入することにより単管Ｐの端部Ｐ１を封じることができる。
【００２４】
このとき、押圧部２２は、管状部２１を単管Ｐ内に挿入したときに単管Ｐの内周面に当接して管状部２１を内側に押圧するとともに、その反力で単管Ｐの内周面にスリット２３の変形量に応じて挿入部材２０からの押圧力が作用する。これにより、蓋体１は強固な力で単管Ｐに嵌合されるので、容易に外れない蓋体１とすることができる。
【００２５】
上述した簡単な工程により、蓋体１を用いて単管Ｐの端部Ｐ１を封じることができる。
【００２６】
蓋体１を単管Ｐから外すときは、例えば、蓋体１が存在しない端部から棒状の部材を挿入して突いて外す、または、蓋体１と単管Ｐの隙間にドライバーのような工具を挿入してこじ開ける、など行うことができる。
【００２７】
スリット２３の幅Ｌ１及び押圧部２２の突出高さＴは、挿入部材２０の管状部２１を単管Ｐ内に挿入可能であるとともに、単管Ｐに対して適切な押圧力を発生させるように設定されている。
【００２８】
例えば、外径φ４８．６ｍｍ、内径φ４３．８ｍｍの鋼製の単管に用いる蓋体１として、
・管状部２１：外径φ４３．８ｍｍ、内径φ３９．２ｍｍ、長さ３０ｍｍ
・スリットの幅Ｌ１  ３ｍｍ
・押圧部２２：突出高さ１．５ｍｍ
を採用することができる。
【００２９】
押圧部２２は、長手方向の任意の位置に形成することができる。また、押圧部２２は、単管Ｐに挿入するための力が過大にならなければ複数箇所に設けることができる。更に、押圧部２２の形状は、単管Ｐの内周面に適切な押圧力を作用させることができれば、ドット状、線状など各種形状を採用することができる。
【００３０】
固定部３０は、管状部２１の変位を過大に拘束することがなければ、位置、形状は任意に設定することができ、例えば、周状に溶接することもできる。
【００３１】
（実施形態の効果）
本考案の単管Ｐの蓋体１によれば、挿入部材２０の管状部２１を単管Ｐ内に挿入すると、挿入部材２０を蓋部材１０に固定する固定部３０がスリット２３と押圧部２２との間に存在しないので、押圧部２２が単管Ｐの内部に向かって押し込まれることにより、スリットの幅Ｌ１が狭くなり（Ｌ１→Ｌ２）挿入可能となる。蓋体１が単管Ｐの端部Ｐ１を覆うまで挿入することにより単管Ｐの端部Ｐ１を封じることができる。このとき、押圧部２２は、管状部２１を単管Ｐ内に挿入したときに単管Ｐの内周面に当接して管状部２１を内側に押圧するとともに、その反力で単管Ｐの内周面に挿入部材２０からの押圧力が作用する。これにより、蓋体１は強固な力で単管Ｐに嵌合されるので、容易に外れない蓋体１とすることができる。
【符号の説明】
【００３２】
１…蓋体
１０…蓋部
２０…挿入部材
２１…管状部
２２…押圧部
２３…スリット
３０…固定部
Ｐ…単管
Ｐ１…（単管の）端部
【図１】
0003224430.tif 000003
【図２】
0003224430.tif 000004
【図３】
0003224430.tif 000005